(57)【要約】情報再生装置（１００）は、再生用の規格に準拠した第１データと、記録用の規格に準拠した第２データとの夫々が記録された情報記録媒体（１０）を再生する情報再生装置であって、第１データ又は第２データを再生する再生手段（１１２、１３０）と、再生手段が第１データを再生している場合に、再生手段が第２データの再生を開始するように再生手段を制御する制御手段（１２９）とを備える。
2008026251.tif 000002
【特許請求の範囲】
【請求項１】
再生用の規格に準拠した第１データと、記録用の規格に準拠した第２データとの夫々が記録された情報記録媒体を再生する情報再生装置であって、
前記第１データ又は前記第２データを再生する再生手段と、
前記再生手段が前記第１データを再生している場合に、前記再生手段が前記第２データの再生を開始するように前記再生手段を制御する制御手段と
を備えることを特徴とする情報再生装置。
【請求項２】
前記制御手段は、前記再生手段が前記第１データを再生している場合に、前記再生手段が前記第２データに含まれるメニューの再生を開始するように前記再生手段を制御することを特徴とする請求の範囲第１項に記載の情報再生装置。
【請求項３】
前記制御手段は、前記再生手段が前記第１データに含まれるメニューを再生している場合に、前記再生手段が前記第２データの再生を開始するように前記再生手段を制御することを特徴とする請求の範囲第１項に記載の情報再生装置。
【請求項４】
前記第１再生手段が前記第１データを再生している場合に、当該情報再生装置独自の独自ボタンを前記第１データに重ねて表示する表示手段を更に備え、
前記制御手段は、前記再生手段が前記第１データを再生しているときに前記独自ボタンが選択及び実行された場合に、前記再生手段が前記第２データの再生を開始するように前記再生手段を制御することを特徴とする請求の範囲第１項に記載の情報再生装置。
【請求項５】
前記表示手段は、前記第１データに含まれるメニューに重ねて前記独自ボタンを表示することを特徴とする請求の範囲第４項に記載の情報再生装置。
【請求項６】
前記表示手段は、前記第１データに含まれる第１データ用ボタンが表示される位置とは異なる位置に前記独自ボタンを表示することを特徴とする請求の範囲第４項に記載の情報再生装置。
【請求項７】
前記表示手段は、前記第１データに含まれる第１データ用ボタンと前記独自ボタンとが略均等に配置されるように前記独自ボタンを表示することを特徴とする請求の範囲第４項に記載の情報再生装置。
【請求項８】
前記表示手段は、前記第１データに含まれる第１データ用ボタンに応じたサイズを有する前記独自ボタンを表示することを特徴とする請求の範囲第４項に記載の情報再生装置。
【請求項９】
前記表示手段は、前記第１データに含まれる第１データ用ボタンを選択する際の遷移関係を、前記第１データに含まれる第１データ用ボタン及び前記独自ボタンの夫々を選択する際の遷移関係を追加しながら、前記独自ボタンを表示することを特徴とする請求の範囲第４項に記載の情報再生装置。
【請求項１０】
前記表示手段は、前記再生手段が前記第1データの再生を開始してから一定時間が経過した後に、前記独自ボタンを表示することを特徴とする請求の範囲第４項に記載の情報再生装置。
【請求項１１】
前記再生手段が前記第２データの再生を開始するように、前記制御手段に対して前記再生手段を制御させるための入力指示を行うための入力手段を更に備え、
前記制御手段は、前記再生手段が前記第１データを再生しているときに前記入力手段により前記入力指示が行われた場合に、前記再生手段が前記第２データの再生を開始するように前記再生手段を制御することを特徴とする請求の範囲第１項に記載の情報再生装置。
【請求項１２】
前記制御手段は、前記再生手段が前記第1データの再生を開始してから一定時間が経過した後に、前記再生手段が前記第２データの再生を開始するように前記再生手段を制御することを特徴とする請求の範囲第１項に記載の情報再生装置。
【請求項１３】
再生用フォーマットに準拠した第１データと、記録用フォーマットに準拠した第２データとの夫々が記録された情報記録媒体を再生する情報再生方法であって、
前記第１データ又は前記第２データを再生する再生工程と、
前記再生手段が前記第１データを再生している場合に、前記再生手段が前記第２データの再生を開始するように前記再生工程を制御する制御工程と
を備えることを特徴とする情報再生方法。
【請求項１４】
再生用フォーマットに準拠した第１データと、記録用フォーマットに準拠した第２データとの夫々が記録された情報記録媒体を再生する情報再生装置であって、前記第１データ又は前記第２データを再生する再生手段と、前記再生手段が前記第１データを再生している場合に、前記再生手段が前記第２データの再生を開始するように前記再生手段を制御する制御手段とを備えるに情報再生装置に備えられたコンピュータを制御する再生制御用のコンピュータプログラムであって、
前記コンピュータプログラムは、前記コンピュータを、前記再生手段及び前記制御手段のうち少なくとも一部として機能させることを特徴とするコンピュータプログラム。
【発明の詳細な説明】
【技術分野】
【０００１】
本発明は、例えばＤＶＤプレーヤやＢＤプレーヤやＨＤ  ＤＶＤプレーヤ等の情報再生装置及び方法、並びにコンピュータをこのような情報再生装置として機能させるコンピュータプログラムの技術分野に関する。
【背景技術】
【０００２】
ＤＶＤ−Ｖｉｄｅｏ（ＤＶＤビデオ）規格では、圧縮符号化方式の一例であるＭＰＥＧ（Moving Picture Expert Group）１又はＭＰＥＧ２により圧縮符号化されたビデオ情報をＤＶＤ等の光ディスクに記録する際に準拠する規格である。ＤＶＤ―Ｖｉｄｅｏ規格によれば、映画一本程度のコンテンツ情報を、１枚の光ディスク上に記録可能な程度にまで、記録データの圧縮符号化及び高密度記録化が進められてきている。ＤＶＤ−Ｖｉｄｅｏ規格は、主として、映画等のタイトルが収められたパッケージソフトを作成し、該パッケージソフトをユーザに販売する目的で定められている。つまり、ＤＶＤ−Ｖｉｄｅｏ規格は、いわばＲＯＭ用（言い換えれば、再生用）の規格として定められている。他方で、ＤＶＤ−Ｖｉｄｅｏ規格においては、主として再生専用のタイトルを記録するために定められていることから、ユーザの自由な編集が制限されている。特に、例えばＣＭや本編が離散的に配列するテレビ番組等のタイトルを、ユーザがＣＭを編集しながら記録する用途には向いていない。これに起因して、ＤＶＤ−Ｖｉｄｅｏ規格においては、再生するタイトルを選択したり、タイトルの再生の態様（例えば、字幕や音声等）を選択するためのメニューは、パッケージソフトに初めから納められているタイトルに関する操作のみを考慮して作成されている。このため、ＤＶＤ−Ｖｉｄｅｏ規格においては、メニューに関しても、ユーザの自由な編集が制限されている。【０００３】
そこで、ＤＶＤ−Ｖｉｄｅｏ規格とは別に、特許文献１に示すＤＶＤ−ＶＲ（Video Recording）規格が定められている。ＤＶＤ−ＶＲ規格では、例えばＣＭや本編が離散的に配列するテレビ番組等のタイトルを、ユーザがＣＭを編集しながら記録する、或いは記録後に編集することができる。つまり、ＤＶＤ−ＶＲ規格は、いわば記録用（言い換えれば、録画用）の規格として定められている。そして、ＤＶＤ−ＶＲ規格においては、ユーザによる編集を考慮した記録用の規格であることから、メニューに関しても、ユーザ或いは情報再生装置側において適宜作成することができる。【０００４】
【特許文献１】特開平０４−１６２２６１号公報
【発明の開示】
【発明が解決しようとする課題】
【０００５】
ところで、ＤＶＤ−Ｖｉｄｅｏ規格に準拠したタイトルと、ＤＶＤ−ＶＲ規格に準拠したタイトルとが、１枚の光ディスクに記録されることが想定され得る。この場合、例えば、独自に作成することができるＤＶＤ−ＶＲ規格に準拠したタイトルのメニューとして、ＤＶＤ−Ｖｉｄｅｏ規格に準拠したタイトルと、ＤＶＤ−ＶＲ規格に準拠したタイトルとのいずれを再生するかを選択可能なメニューを作成すれば、該メニューを用いることで、双方のタイトルのうちユーザが所望のタイトルを適切に再生することができる。【０００６】
しかしながら、ＤＶＤ−Ｖｉｄｅｏ規格に準拠したタイトルのメニューに対するユーザの自由な編集が制限されているため、ＤＶＤ−Ｖｉｄｅｏ規格に準拠したタイトルのメニューにおいては、ＤＶＤ−ＶＲ規格に準拠したタイトルが存在することが考慮されていない。つまり、ＤＶＤ−Ｖｉｄｅｏ規格に準拠したタイトルのメニューにおいては、ユーザにより適宜記録されるＤＶＤ−ＶＲ規格に準拠したタイトルを再生するためのメニューが考慮されていない。このため、ＤＶＤ−Ｖｉｄｅｏ規格に準拠したタイトルの再生動作が一度開始されてしまうと、その後は、ＤＶＤ−ＶＲ規格に準拠したタイトルの再生動作へ切り替えることができないという技術的な問題点が生じ得る。【０００７】
この場合、光ディスクを一旦情報再生装置からイジェクトすれば（つまり、それまでの動作を完全にリセットすれば）、ＤＶＤ−Ｖｉｄｅｏ規格に準拠したタイトルの再生動作が一度開始された後であっても、ＤＶＤ−ＶＲ規格に準拠したタイトルの再生動作を開始することができるとも考えられる。しかしながら、この手法は、ユーザにイジェクト動作及び再ローディング動作を強制させることになり、好ましい手法であるとは到底言えない。【０００８】
上述した技術的な問題は、ＤＶＤ−Ｖｉｄｅｏ規格に準拠したタイトルと、ＤＶＤ−ＶＲ規格に準拠したタイトルとが記録された光ディスクに限らず生じ得る。つまり、ある規格（特に、ユーザによる記録が考慮されない再生用の規格）に準拠したタイトルと、他の規格（特に、ユーザによる記録が行われる際に用いられる記録用の規格）に準拠したタイトルとが記録されている光ディスクについても、上述した技術的な問題点は十分に生じ得る。【０００９】
本発明は、例えば上述した従来の問題点に鑑みなされたものであり、例えば１枚の情報記録媒体に再生用の規格に準拠したデータ及び記録用の規格に準拠したデータの双方が記録されている場合であっても、双方のデータを適切に再生することを可能とならしめる情報再生装置及び方法、並びにコンピュータをこのような情報再生装置として機能させるコンピュータプログラムを提供することを課題とする。
【課題を解決するための手段】
【００１０】
上記課題を解決するために、請求の範囲第１項に記載の情報再生装置は、再生用の規格に準拠した第１データと、記録用の規格に準拠した第２データとの夫々が記録された情報記録媒体を再生する情報再生装置であって、前記第１データ又は前記第２データを再生する再生手段と、前記再生手段が前記第１データを再生している場合に、前記再生手段が前記第２データの再生を開始するように前記再生手段を制御する制御手段とを備える。【００１１】
上記課題を解決するために、請求の範囲第１４項に記載の情報再生方法は、再生用フォーマットに準拠した第１データと、記録用フォーマットに準拠した第２データとの夫々が記録された情報記録媒体を再生する情報再生方法であって、前記第１データ又は前記第２データを再生する再生工程と、前記再生手段が前記第１データを再生している場合に、前記再生手段が前記第２データの再生を開始するように前記再生工程を制御する制御工程とを備える。【００１２】
上記課題を解決するために、請求の範囲第１５項に記載のコンピュータプログラムは、再生用フォーマットに準拠した第１データと、記録用フォーマットに準拠した第２データとの夫々が記録された情報記録媒体を再生する情報再生装置であって、前記第１データ又は前記第２データを再生する再生手段と、前記再生手段が前記第１データを再生している場合に、前記再生手段が前記第２データの再生を開始するように前記再生手段を制御する制御手段とを備えるに情報再生装置に備えられたコンピュータを制御する再生制御用のコンピュータプログラムであって、前記コンピュータプログラムは、前記コンピュータを、前記再生手段及び前記制御手段のうち少なくとも一部として機能させる。【００１３】
本発明の作用及び他の利得は次に説明する実施の形態から明らかにされよう。
【図面の簡単な説明】
【００１４】
【図１】本実施例に係る光ディスクの一の基本構造を示した概略平面図であり、該光ディスクの概略断面図と、これに対応付けられた、その半径方向における記録領域構造の図式的概念図である。
【図２】本実施例に係る情報再生装置の基本構成を概念的に示すブロック図である。
【図３】ＢＤＭＶデータ用のメニュー画面及びＢＤＡＶデータ用のメニュー画面の夫々を概念的に示す平面図である。
【図４】情報再生装置独自の追加ボタンが表示されたＢＤＭＶデータ用のメニュー画面を概念的に示す平面図である。
【図５】本実施例に係る情報再生装置における状態の遷移の態様を概念的に示す状態遷移図である。
【図６】追加ボタンが表示される前及び追加ボタンが表示された後の夫々のＢＤＭＶデータ用の第１のメニュー画面を概念的に示す平面図である。
【図７】追加ボタンが表示される前及び追加ボタンが表示された後の第１のメニュー画面において、夫々のボタンを選択するときの遷移関係を概念的に示す平面図である。
【図８】追加ボタンが表示される前及び追加ボタンが表示された後の夫々のＢＤＭＶデータ用の第２のメニュー画面を概念的に示す平面図である。
【図９】追加ボタンが表示される前及び追加ボタンが表示された後の第２のメニュー画面において、夫々のボタンを選択するときの遷移関係を概念的に示す平面図である。
【図１０】変形例に係る情報再生装置が備えるリモコンを概念的に示す斜視図である。
【符号の説明】
【００１５】
１０  光ディスク
１００  情報再生装置
１１２  光ピックアップ
１１３  信号記録手段
１２１  ＣＰＵ
１２８  ボタン表示部
１２９  動作制御部
１３１  リモコン
１３２  状態遷移用操作ボタン
３０５  追加ボタン
【発明を実施するための最良の形態】
【００１６】
以下、発明を実施するための最良の形態として、本発明の情報再生装置及び方法、並びにコンピュータプログラムに係る実施形態の説明を進める。【００１７】
（情報再生装置の実施形態）
本発明の情報再生装置に係る実施形態は、再生用の規格に準拠した第１データと、記録用の規格に準拠した第２データとの夫々が記録された情報記録媒体を再生する情報再生装置であって、前記第１データ又は前記第２データを再生する再生手段と、前記再生手段が前記第１データを再生している場合に、前記再生手段が前記第２データの再生を開始するように前記再生手段を制御する制御手段とを備える。【００１８】
本発明の情報再生装置に係る実施形態によれば、再生手段の動作により、映像や音声等を含む第１データが再生される。第１データは、再生用の規格（言い換えれば、再生専用の記録媒体にデータを記録する際に用いられる規格）に準拠している。同様に、再生手段の動作により、映像や音声等を含む第２データが再生される。第２データは、記録用の規格（言い換えれば、記録可能な記録媒体にデータを記録する際に用いられる規格）に準拠している。つまり、本実施形態に係る情報再生装置は、１枚の情報記録媒体に記録された第１データと第２データとの夫々を再生することができる。【００１９】
本実施形態では特に、制御手段の動作により、再生手段が第１データを再生している場合に、再生手段が第２データの再生を開始するように、再生手段の動作が制御される。より具体的には、制御手段の動作により、再生手段が第１データを再生しているときに後述する各種条件が満たされた場合に、再生手段が第２データの再生を開始するように、再生手段の動作が制御される。つまり、本実施形態においては、制御手段の動作により、第１データが再生される状態から、第２データが再生される状態へと、再生手段の動作が切り替えられる。【００２０】
ここで、再生用の規格に準拠した第１データは、予めオーサリングされることで作成されるため、第１データ以外のデータが情報記録媒体上に同時に記録されることが想定されていない。このため、該第１データの再生が一旦開始されると、第１データの再生に関する操作以外の操作（例えば、第２データの再生を行う操作）は提供されない。つまり、第１データの再生シーケンス等に従って再生を進める限りは、第２データを再生することができない。【００２１】
しかるに、本実施形態によれば、再生用の規格に準拠した第１データの再生が開始された後であっても、情報再生装置が独自に備える制御手段の動作により、記録用の規格に準拠した第２データを再生することができる。特に、第１データの再生が開始された後において第２データの再生を開始するために、情報記録媒体を情報再生装置からイジェクトすることによって、情報再生装置の動作を一旦リセットする必要もない。つまり、ユーザは、比較的容易に、第１データが再生される状態から、第２データが再生される状態へと、再生手段の動作を切り替えることができる。【００２２】
加えて、記録用の規格に準拠した第２データは、ユーザにより適宜記録される（又は、追記される）ことが想定されている。このため、情報記録媒体上に第１データが記録されていることを考慮して第２データを記録することができる。従って、第２データ中に、第２データが再生される状態から、第１データが再生される状態へと、再生手段の動作を切り替えるためのデータ（例えば、後述のメニュー）を盛り込むことができる。このため、本実施形態においては、第１データが再生される状態から第２データが再生される状態へと、又は第２データが再生される状態から第１データが再生される状態へと、再生手段の動作を適切に切り替えることができる。【００２３】
もちろん、第１データの再生が開始されていない場合には、制御手段の動作によらず、再生手段が第２データを再生することができることは言うまでもない。要は、本実施形態に係る情報再生装置が備える制御手段は、第１データの再生が開始された後に、ユーザにわずらわしい或いは煩雑な操作を行わせることなく、第２データの再生を開始させることができるという点において、優れた効果を発揮している。【００２４】
このように、本発明の情報再生装置に係る実施形態によれば、１枚の情報記録媒体に再生用の規格に準拠した第１データ及び記録用の規格に準拠した第２データの双方が記録されている場合であっても、第１データ及び第２データの夫々を適切に再生することができる。【００２５】
本発明の情報再生装置に係る実施形態の一の態様は、前記制御手段は、前記再生手段が前記第１データを再生している場合に、前記再生手段が前記第２データに含まれるメニュー（つまり、第２データ用のメニュー）の再生を開始するように前記再生手段を制御する。【００２６】
この態様によれば、１枚の情報記録媒体に再生用の規格に準拠した第１データ及び記録用の規格に準拠した第２データの双方が記録されている場合であっても、第１データ及び第２データの夫々を適切に再生することができる。【００２７】
本発明の情報再生装置に係る実施形態の他の態様は、前記制御手段は、前記再生手段が前記第１データに含まれるメニューを再生している場合に、前記再生手段が前記第２データの再生を開始するように前記再生手段を制御する。【００２８】
この態様によれば、1枚の情報記録媒体に再生用の規格に準拠した第１データ及び記録用の規格に準拠した第２データの双方が記録されている場合であっても、第１データ及び第２データの夫々を適切に再生することができる。【００２９】
本発明の情報再生装置に係る実施形態の他の態様は、前記第１再生手段が前記第１データを再生している場合に、当該情報再生装置独自の独自ボタンを前記第１データに重ねて表示する表示手段を更に備え、前記制御手段は、前記再生手段が前記第１データを再生しているときに前記独自ボタンが選択及び実行された場合に、前記再生手段が前記第２データの再生を開始するように前記再生手段を制御する。【００３０】
この態様によれば、表示手段の動作により、例えば第１データに重ねて、情報再生装置独自の（言い換えれば、第１データには依存しない）独自ボタンが表示される。例えば、第１データが映像を含んでいている場合には、該映像に重ねて独自ボタンが表示される。そして、制御手段は、再生手段が第１データを再生しているときに独自ボタンが選択及び実行された場合に、再生手段が第２データの再生を開始するように再生手段を制御する。これにより、ユーザは再生手段の動作を切り替えるための独自ボタンを視認することができると共に、ユーザの所望のタイミングで再生手段の動作を切り替えることができる。【００３１】
上述の如く表示手段を備える情報再生装置の態様では、前記表示手段は、前記第１データに含まれるメニューに重ねて前記独自ボタンを表示するように構成してもよい。【００３２】
このように構成すれば、第１データに含まれるメニューを用いて、第１データに関する操作を行うと共に、再生手段の動作を切り替えることができる。【００３３】
上述の如く表示手段を備える情報再生装置の態様では、前記表示手段は、前記第１データに含まれる第１データ用ボタンが表示される位置とは異なる位置に前記独自ボタンを表示するように構成してもよい。【００３４】
このように構成すれば、独自ボタンと第１データ用ボタンとが重なって表示されなくなる。つまり、第１データに含まれる第１データ用ボタンの操作に影響を与えることなく、独自ボタンを表示することができる。【００３５】
上述の如く表示手段を備える情報再生装置の態様では、前記表示手段は、前記第１データに含まれる第１データ用ボタンと前記独自ボタンとが略均等に配置されるように前記独自ボタンを表示するように構成してもよい。【００３６】
このように構成すれば、第１データに含まれる第１データ用ボタンとバランスを保ちながら、独自ボタンを表示することができる。尚、「第１データ用ボタンと独自ボタンとが略均等に配置される」とは、既存の第１データ用ボタンに違和感を与えないような位置に独自ボタンを配置することを示す趣旨である。【００３７】
上述の如く表示手段を備える情報再生装置の態様では、前記表示手段は、前記第１データに含まれる第１データ用ボタンに応じたサイズを有する前記独自ボタンを表示するように構成してもよい。【００３８】
このように構成すれば、第１データに含まれる第１データ用ボタンとバランスを保ちながら、独自ボタンを表示することができる。【００３９】
上述の如く表示手段を備える情報再生装置の態様では、前記表示手段は、前記第１データに含まれる第１データ用ボタンを選択する際の遷移関係を、前記第１データに含まれる第１データ用ボタン及び前記独自ボタンの夫々を選択する際の遷移関係を追加しながら、前記独自ボタンを表示するように構成してもよい。【００４０】
このように構成すれば、第１データ用ボタンの選択動作と同様に、独自ボタンを選択することができる。これにより、情報再生装置独自の（言い換えれば、第１データには依存しない）独自ボタンと、第１データ用ボタンとの整合性を保つことができる。【００４１】
上述の如く表示手段を備える情報再生装置の態様では、前記表示手段は、前記再生手段が前記第1データの再生を開始してから一定時間が経過した後に、前記独自ボタンを表示するように構成してもよい。【００４２】
このように構成すれば、一定時間は、独自ボタンが表示されない（つまり、オリジナルの）第１データが再生される。従って、第１データに含まれる映像（特に、意味を持つ或いは重要な映像）に、意図せずして独自ボタンが重なってしまうことで、該映像をユーザが全く視聴できなくなってしまう恐れを防ぐことができる。つまり、該映像をユーザは少なくとも一定時間は視聴することができる。【００４３】
本発明の情報再生装置に係る実施形態の他の態様は、前記再生手段が前記第２データの再生を開始するように、前記制御手段に対して前記再生手段を制御させるための入力指示を行うための入力手段を更に備え、前記制御手段は、前記再生手段が前記第１データを再生しているときに前記入力手段により前記入力指示が行われた場合に、前記再生手段が前記第２データの再生を開始するように前記再生手段を制御する。【００４４】
この態様によれば、ユーザがリモコン等の入力手段を用いて入力指示を行うことで、再生手段の動作を切り替えることができる。【００４５】
本発明の情報再生装置に係る実施形態の他の態様は、前記制御手段は、前記再生手段が前記第1データの再生を開始してから一定時間が経過した後に（特に、ユーザからの操作が行われない状態が一定時間継続した後に）、前記再生手段が前記第２データの再生を開始するように前記再生手段を制御する。【００４６】
この態様によれば、ユーザの操作を介することなく、再生手段の動作を切り替えることができる。【００４７】
本発明の情報再生装置に係る実施形態の他の態様は、前記再生用の規格は、ＤＶＤ−Ｖｉｄｅｏ規格、ＢＤ−Ｖｉｄｅｏ規格及びＨＤ  ＤＶＤ−Ｖｉｄｅｏ規格の少なくとも１つを含んでおり、前記記録用の規格は、ＤＶＤ−ＶＲ規格、ＢＤ―ＶＲ規格及びＨＤ  ＤＶＤ−ＶＲ規格の少なくとも１つを含む。【００４８】
この態様によれば、上述の既知の各種規格において、上述した各種利益を享受することができる。【００４９】
（情報再生方法の実施形態）
本発明の情報再生方法に係る実施形態は、再生用フォーマットに準拠した第１データと、記録用フォーマットに準拠した第２データとの夫々が記録された情報記録媒体を再生する情報再生方法であって、前記第１データ又は前記第２データを再生する再生工程と、前記再生手段が前記第１データを再生している場合に、前記再生手段が前記第２データの再生を開始するように前記再生工程を制御する制御工程とを備える。【００５０】
本発明の情報再生方法に係る実施形態によれば、上述した本発明の情報再生装置に係る実施形態が有する各種利益と同様の利益を享受することができる。【００５１】
尚、上述した本発明の情報再生装置に係る実施形態における各種態様に対応して、本発明の情報再生方法に係る実施形態も各種態様を採ることが可能である。【００５２】
（コンピュータプログラムの実施形態）
本発明のコンピュータプログラムに係る実施形態は、再生用フォーマットに準拠した第１データと、記録用フォーマットに準拠した第２データとの夫々が記録された情報記録媒体を再生する情報再生装置であって、前記第１データ又は前記第２データを再生する再生手段と、前記再生手段が前記第１データを再生している場合に、前記再生手段が前記第２データの再生を開始するように前記再生手段を制御する制御手段とを備えるに情報再生装置（つまり、上述した本発明の情報再生装置に係る実施形態（但し、その各種態様を含む））に備えられたコンピュータを制御する再生制御用のコンピュータプログラムであって、前記コンピュータプログラムは、前記コンピュータを、前記再生手段及び前記制御手段のうち少なくとも一部として機能させる。【００５３】
本発明のコンピュータプログラムに係る実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報再生装置に係る実施形態を比較的簡単に実現できる。【００５４】
尚、上述した本発明の情報再生装置に係る実施形態における各種態様に対応して、本発明のコンピュータプログラムに係る実施形態も各種態様を採ることが可能である。【００５５】
本発明のコンピュータ読取可能な媒体内のコンピュータプログラム製品に係る実施形態は、再生用フォーマットに準拠した第１データと、記録用フォーマットに準拠した第２データとの夫々が記録された情報記録媒体を再生する情報再生装置であって、前記第１データ又は前記第２データを再生する再生手段と、前記再生手段が前記第１データを再生している場合に、前記再生手段が前記第２データの再生を開始するように前記再生手段を制御する制御手段とを備えるに情報再生装置（つまり、上述した本発明の情報再生装置に係る実施形態（但し、その各種態様を含む））に備えられたコンピュータにより実行可能なプログラム命令を明白に具現化し、該コンピュータを、前記再生手段及び前記制御手段のうち少なくとも一部として機能させる。【００５６】
本発明のコンピュータプログラム製品に係る実施形態によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の情報再生装置に係る実施形態を比較的容易に実施可能となる。更に具体的には、当該コンピュータプログラム製品は、上述した本発明の情報再生装置に係る実施形態として機能させるコンピュータ読取可能なコード（或いはコンピュータ読取可能な命令）から構成されてよい。【００５７】
尚、上述した本発明の情報再生装置に係る実施形態における各種態様に対応して、本発明のコンピュータプログラム製品に係る実施形態も各種態様を採ることが可能である。【００５８】
本実施形態のこのような作用及び他の利得は次に説明する実施例から更に明らかにされよう。【００５９】
以上説明したように、本発明の情報再生装置に係る実施形態によれば、再生手段と、制御手段とを備える。本発明の情報再生方法に係る実施形態によれば、再生工程と、制御工程とを備える。本発明のコンピュータプログラムに係る実施形態によれば、コンピュータを再生手段及び制御手段として機能させる。従って、１枚の情報記録媒体に再生用の規格に準拠したデータ及び記録用の規格に準拠したデータの双方が記録されている場合であっても、双方のデータを適切に再生することができる。
【実施例】
【００６０】
以下、本発明の実施例を図面に基づいて説明する。【００６１】
（１）  情報記録媒体
初めに、図１を参照して、本発明の情報再生装置に係る実施例の再生対象となる情報記録媒体としての光ディスクについて説明を進める。ここに、図１（ａ）は、本実施例に係る光ディスクの一の基本構造を示した概略平面図であり、図１（ｂ）は、該光ディスクの概略断面図と、これに対応付けられた、その半径方向における記録領域構造の図式的概念図である。【００６２】
図１（ａ）及び図１（ｂ）に示されるように、本実施例に係る光ディスク１０は、例えば、ＤＶＤと同じく直径１２ｃｍ程度の大きさを有している。そして、光ディスク１０は、透明基板１３上に記録層等が積層されている。そして、この記録層の各記録領域には、例えば、センターホール１１を中心にスパイラル状或いは同心円状に、例えば、グルーブトラック及びランドトラック等のトラックが交互に設けられている。また、このトラック上には、データがＥＣＣブロックという単位で分割されて記録される。ＥＣＣブロックは、データをエラー訂正可能なデータ管理単位である。【００６３】
本実施例では特に、図１（ｂ）に示すように、光ディスク１０には、センターホール１１を中心として、内周側に再生専用のＲＯＭエリア１１が配置されており、該ＲＯＭエリア１１の外周側には記録可能エリア１２が配置されている。【００６４】
ＲＯＭエリア１１は、再生専用の記録エリアであって、ユーザがデータを記録することはできない。ＲＯＭエリア１１には、本発明における「再生用の規格」の一具体例を構成するＢＤ（Ｂｌｕ−ｒａｙ）−ＲＯＭのＶｉｄｅｏ規格に準拠した、本発明における「第１データ」の一具体例を構成するＢＤＭＶデータが記録されている。ＢＤＭＶデータは、例えば、オーサーにより予めオーサリングされた映画等のデータである。【００６５】
記録可能エリア１２は、ユーザがデータを記録可能な記録エリアである。記録可能エリア１２には、本発明における「記録用の規格」の一具体例を構成するＢＤ−ＶＲ（Video Recording）規格に準拠した、本発明における「第２データ」の一具体例を構成するＢＤＡＶデータが記録されている。ＢＤＡＶデータは、例えば、ユーザにより記録された各種テレビ番組等である。【００６６】
尚、本発明における「再生用の規格」の一具体例を構成するＤＶＤ−Ｖｉｄｅｏ規格に準拠したデータがＲＯＭエリア１１に記録されており、本発明における「記録用の規格」の一具体例を構成するＤＶＤ−ＶＲ規格に準拠したデータが記録可能エリア１２に記録されていてもよい。【００６７】
また、本実施例に係る光ディスク１０は、図１（ａ）及び図１（ｂ）に示すような単一の記録層を備える光ディスクに限定されず、複数の記録層を備える光ディスクであってもよい。例えば、複数の記録層のうち一の記録層の全体がＲＯＭエリア１１であり且つ複数の記録層のうち他の記録層の全体が記録エリア１２であってもよい。或いは、例えば、複数の記録層のうち一の記録層の一部及び他の記録層の一部がＲＯＭエリア１１であり且つ複数の記録層のうち一の記録層の他の一部及び他の記録層の他の一部が記録エリア１２であってもよい。【００６８】
更には、光ディスク１０は、必ずしもＲＯＭエリア１１と記録可能エリア１２との夫々を備えていなくともよい。例えば、光ディスク１０は、ＲＯＭエリア１１のみを備えていてもよい。この場合、ＲＯＭエリア１１にＢＤＭＶデータ及びＢＤＡＶデータの夫々が記録される。或いは、光ディスク１０は、記録可能エリア１２のみを備えていてもよい。この場合、記録可能エリア１２にＢＤＭＶデータ及びＢＤＡＶデータの夫々が記録される。【００６９】
まとめると、１枚の光ディスク１０上に、再生用の規格に準拠したデータと、記録用の規格に準拠したデータとの夫々が記録されていれば、後述する情報再生装置による再生動作の対象となる。【００７０】
（２）  情報再生装置の基本構成
続いて、図２を参照して、本実施例に係る再生装置１００の基本構成について説明を進める。ここに、図２は、本実施例に係る情報再生装置１００の基本構成を概念的に示すブロック図である。【００７１】
図２に示すように、情報再生装置１００は、実際に光ディスク１０がローディングされ且つコンテンツの再生が行なわれるディスクドライブ１１０と、該ディスクドライブ１１０におけるコンテンツの再生を制御するパーソナルコンピュータ等のホストコンピュータ１２０とを備えている。【００７２】
ディスクドライブ１１０は、光ディスク１０、スピンドルモータ１１１、光ピックアップ１１２、信号再生手段１１３、ＣＰＵ（ドライブ制御手段）１１４、メモリ１１５、データ入出力制御手段１１６及びバス１１７を備えて構成されている。また、ホストコンピュータ１２０は、ＣＰＵ１２１、メモリ１２２、操作／表示制御手段１２３、操作ボタン１２４、表示パネル１２５、及びデータ入出力制御手段１２６、バス１２７及びデコーダ１３０を備えて構成される。【００７３】
スピンドルモータ１１１は光ディスク１０を回転及び停止させるもので、光ディスク１０へのアクセス時に動作する。より詳細には、スピンドルモータ１１１は、図示しないサーボユニット等によりスピンドルサーボを受けつつ所定速度で光ディスク１０を回転及び停止させるように構成されている。【００７４】
光ピックアップ１１２は、光ディスク１０への記録再生を行うために、例えば図示しない半導体レーザ素子と、コリメータレンズ及び対物レンズ等から構成される。より詳細には、光ピックアップ１１２は、光ディスク１０に対してレーザービーム等の光ビームを、再生時には読み取り光として第１のパワーで照射し、記録時には書き込み光として第２のパワーで且つ変調させながら照射する。【００７５】
信号再生手段１１３は、後述のデコーダ１３０と共に本発明における「再生手段」の一具体例を構成しており、ＣＰＵ１１４の制御を受けながらスピンドルモータ１１１と光ピックアップ１１２を制御することで、光ディスク１０に記録されたデータの再生を行う。より具体的には、信号再生手段１１３は、例えば、レーザダイオードドライバ（ＬＤドライバ）及びヘッドアンプ等によって構成されている。レーザダイオードドライバは、例えば駆動パルスを生成し、光ピックアップ１１２内に設けられた半導体レーザ素子を駆動する。ヘッドアンプは、光ピックアップ１１２の出力信号、即ち、光ビームの反射光を増幅し、該増幅した信号を出力する。【００７６】
ＣＰＵ（ドライブ制御手段）１１４は、信号再生手段１１３及びメモリ１１５と、バス１１７を介して接続され、各種制御手段に指示を行うことで、ディスクドライブ１１０全体の制御を行う。通常、ＣＰＵ１１４が動作するためのソフトウェア又はファームウェアは、メモリ１１５に格納されている。【００７７】
メモリ１１５は、再生用のデータのバッファ領域や、信号再生手段１１３で使用出来るデータに変換する時の中間バッファとして使用される領域などディスクドライブ１１０におけるデータ処理全般において使用される。また、メモリ１１５はプレーヤ機器としての動作を行うためのプログラム、即ちファームウェアが格納されるＲＯＭ領域と、再生用のデータが一時的に格納される或いはファームウェアプログラム等の動作に必要な変数が格納されるＲＡＭ領域などから構成される。【００７８】
データ入出力制御手段１１６は、ディスクドライブ１１０に対するホストコンピュータ１２０からのデータ入出力を制御する。ディスクドライブ１１０とＳＣＳＩや、ＡＴＡＰＩなどのインタフェースを介して接続されている外部のホストコンピュータ１２０から発行されるドライブ制御命令は、データ入出力制御手段１１６を介してＣＰＵ１１４に伝達される。また、再生されたデータも同様にデータ入出力制御手段１１６を介して、ホストコンピュータ１２０とやり取りされる。【００７９】
操作／表示制御手段１２３はホストコンピュータ１２０に対する動作指示受付と表示を行うもので、操作ボタン１２４による各種指示（例えば、再生開始指示や再生停止指示等）をＣＰＵ１２１に伝える。ＣＰＵ１２１は、操作／表示制御手段１２３からの指示情報を元に、データ入出力手段１２６を介して、ディスクドライブ１１０に対して制御命令（コマンド）を送信し、ディスクドライブ１１０全体を制御する。同様に、ＣＰＵ１２１は、ディスクドライブ１１０に対して、動作状態をホストコンピュータ１２０に送信するように要求するコマンドを送信することができる。これにより、ディスクドライブ１１０の動作状態（例えば、再生実行状態や再生停止状態）が把握できるためＣＰＵ１２１は、操作／表示制御手段１２３を介して蛍光管やＬＣＤなどの表示パネル１２５にディスクドライブ１１０の動作状態を出力することができる。【００８０】
デコーダ１３０は、上述の光ピックアップ１１２と共に本発明における「再生手段」の一具体例を構成しており、ディスクドライブ１１０において再生されたデータをデコードすることで、映像データや音声データを生成する。生成された映像データや音声データは、ディスプレイやスピーカ等の外部出力機器へ出力され、映像として表示されたり、音声として出力される。【００８１】
ＣＰＵ１２１は、ホストコンピュータ１２０全体の制御を行う。特に、ＣＰＵ１２１は、ＣＰＵ１２１上で動作するコンピュータプログラムにより、ＣＰＵ１２１上で論理的に実現される構成であるボタン表示部１２８と、動作制御部１２９とを備えている。【００８２】
ボタン表示部１２８は、本発明における「表示手段」の一具体例を構成しており、光ディスク１０に記録されているＢＤＭＶデータ用のメニュー画面上に、情報再生装置１００独自のボタンを表示可能に構成されている。【００８３】
動作制御部１２９は、本発明における「制御手段」の一具体例を構成しており、ボタン表示部１２８の動作により表示されたボタンがユーザにより選択及び実行された場合に、ＢＤＡＶデータ用のメニュー画面を表示するように、ディスクドライブ１１０及びホストコンピュータ１２０を制御する。【００８４】
尚、ボタン表示部１２８や動作制御部１２９の詳細な動作については、後に詳述する（図３以降参照）。【００８５】
メモリ１２２は、ホストコンピュータ１２０が使用する内部記憶装置であり、例えばＢＩＯＳ（Basic Input／Output System)等のファームウェアプログラムが格納されるＲＯＭ領域、オペレーティングシステムや、アプリケーションプログラム等の動作に必要な変数等が格納されるＲＡＭ領域などから構成される。【００８６】
（３）  動作例
続いて、図３から図５を参照して、本実施例に係る情報再生装置１００の動作例について説明する。ここに、図３は、ＢＤＭＶデータ用のメニュー画面及びＢＤＡＶデータ用のメニュー画面の夫々を概念的に示す平面図であり、図４は、情報再生装置１００独自の追加ボタンが表示されたＢＤＭＶデータ用のメニュー画面を概念的に示す平面図であり、図５は、本実施例に係る情報再生装置１００における状態の遷移の態様を概念的に示す状態遷移図である。【００８７】
図３（ａ）に示すように、ＢＤＡＶデータにテレビ番組Ａ、テレビ番組Ｂ、ニュース番組が含まれている場合には、これらの番組のいずれを再生するかをユーザに選択させるメニュー画面を表示するためのメニューデータを、情報再生装置１００がＢＤＡＶデータを元にして作成している。具体的には、テレビ番組Ａを再生するためにユーザにより選択及び実行されるボタン（或いは、サムネイル画像（以下同じ））２０１、テレビ番組を再生するためにユーザにより選択及び実行されるボタン２０２、ニュース番組を再生するためにユーザにより選択及び実行されるボタン２０３を含むメニュー画面を表示するためのメニューデータを、ＢＤＡＶデータを元に情報再生装置１００が作成する。このメニューデータに基づくメニュー画面は、一般的には、ＢＤＡＶデータの再生を行う際には、まず一番初めに表示される。【００８８】
更に、ＢＤＡＶデータは、ユーザにより適宜光ディスク１０へ記録される（或いは、追記される）ことが想定されているため、光ディスク１０上にＢＤＭＶデータが記録されている場合には、該ＢＤＭＶデータが光ディスク１０上に記録されていることを考慮してＢＤＡＶデータを作成することができる。より具体的には、図３（ａ）に示すように、ＢＤＭＶデータを再生するためにユーザにより選択及び実行されるボタン２０４を表示するＢＤＡＶデータ用のメニュー画面と合わせて生成し、表示することができる。ボタン２０４がユーザにより選択及び実行された場合には、図３（ｂ）に示すＢＤＭＶデータ用のメニュー画面が表示される。【００８９】
図３（ｂ）に示すように、ＢＤＭＶデータが映画である場合には、該映画の再生に関連する操作を行うためのメニュー画面を表示するためのメニューデータがＢＤＭＶデータ中に含まれる。具体的には、チャプターを選択するためにユーザにより選択及び実行されるボタン３０１、字幕を選択するためにユーザにより選択及び実行されるボタン３０２、音声を選択するためにユーザにより選択及び実行されるボタン３０３及び特典映像を再生するためにユーザにより選択及び実行されるボタン３０４を含むメニュー画面を表示するためのメニューデータがＢＤＭＶ中に含まれる。【００９０】
ここで、ＢＤＭＶデータは、予めオーサリングされることで作成されるため、ＢＤＭＶデータ以外のデータが光ディスク１０上に同時に記録されることが想定されていない。従って、ＢＤＭＶデータ用のメニュー画面には、ＢＤＭＶデータ以外のデータに関連する操作を行うためのボタンは含まれていない。言い換えれば、ＢＤＭＶデータ用のメニュー画面には、ＢＤＭＶデータ内で完結する操作を行うためのボタンのみが含まれている。このため、ＢＤＭＶデータの再生が一旦開始されると、ＢＤＭＶデータの再生シーケンス等に従って或いはＢＤＭＶデータ用のメニュー画面を用いて再生を進める限りは、ＢＤＡＶデータを再生することができない。つまり、ＢＤＭＶデータを再生している途中で、ＢＤＡＶデータの再生に切り替えることができない。【００９１】
そこで、本実施例に係る情報再生装置１００は、図４に示すように、ボタン表示部１２８の動作により、ＢＤＭＶデータ用のメニュー画面上に、ＢＤＡＶデータ用のメニュー画面を表示する（つまり、ＢＤＡＶデータ用のメニュー画面へ戻る）ためにユーザにより選択及び実行される追加ボタン３０５が表示される。この追加ボタン３０５は、本発明における「独自ボタン」の一具体例を構成しており、ＢＤＭＶデータ中に含まれているボタンではなく、情報再生装置１００自身の機能（つまり、ボタン表示部１２８の機能）によりＢＤＭＶデータ用のメニュー画面上に表示されるボタンである。【００９２】
追加ボタン３０５がユーザにより選択及び実行された場合には、ＣＰＵ１２１中の動作制御部１２９の制御の下に、ＢＤＭＶデータ用のメニュー画面の表示を終了し、図３（ａ）に示されるＢＤＡＶデータ用のメニュー画面が表示される。つまり、メモリ中にバッファリングされたＢＤＡＶデータ用のメニュー画面を表示するためのメニューデータが再生されてもよいし、或いは、光ディスク１０から改めてＢＤＡＶデータを取得して、メニュー画面を情報再生装置１００が生成し、表示してもよい。【００９３】
ここで、追加ボタン３０５をＢＤＭＶデータ用のメニュー画面に表示する情報再生装置１００の動作状態の遷移の態様についてより詳細に説明する。図５に示すように、情報再生装置１００の状態が、電源がＯＦＦである状態を示す電源ＯＦＦ状態にあるときに、電源がＯＮに切り替えられると、情報再生装置１００の状態は、データを再生していない状態を示す非再生状態に遷移する。他方、情報再生装置１００の状態が非再生状態にあるときに、電源がＯＦＦに切り替えられると、情報再生装置１００の状態は、電源ＯＦＦ状態に遷移する。【００９４】
情報再生装置１００の状態が非再生状態にあるときに、再生開始の指示がなされると、情報再生装置１００の状態は、データを再生している状態を示す再生状態に遷移する。他方、情報再生装置１００の状態が再生状態にあるときに、光ディスク１０を情報再生装置１００からイジェクトする指示や再生停止の指示がなされると、情報再生装置１００の状態は、非再生状態に遷移する。【００９５】
本実施例においては、情報再生装置１００の状態が再生状態に遷移すると、情報再生装置１００は、まず、ＢＤＡＶデータが再生されるＢＤＡＶ再生環境下に置かれる。このため、情報再生装置１００の状態が再生状態に遷移すると、初めに、図３（ａ）に示すようなＢＤＡＶデータ用のメニュー画面が表示される。従って、該メニュー画面を用いて、ＢＤＡＶデータ中に含まれる所望のデータを再生することができる。例えば、図３（ａ）に示すメニュー画面であれば、ボタン２０１が選択及び実行されると、テレビ番組Ａが再生される。ボタン２０２が選択及び実行されると、テレビ番組Ｂが再生される。ボタン２０３が選択及び実行されると、ニュース番組が再生される。【００９６】
ここで、ＢＤＡＶデータ用のメニュー画面中に含まれるボタン２０４が選択及び実行されると、情報再生装置１００は、動作制御部１２９の制御の下に、ＢＤＭＶデータが再生されるＢＤＭＶ再生環境に置かれる。このため、ＢＤＡＶデータ用のメニュー画面中に含まれるボタン２０４が選択及び実行されると、初めに、図４に示すようなＢＤＭＶデータ用のメニュー画面が表示される。従って、該メニュー画面を用いて、所望の字幕及び音声で、且つ所望のチャプターから映画を再生することができる。或いは、該メニュー画面を用いて、特典映像を再生することができる。【００９７】
このとき、ボタン表示部１２８の動作によりＢＤＭＶデータ用のメニュー画面中に表示される追加ボタン３０５が選択及び実行されると、情報再生装置１００は、動作制御部１２９の制御の下に、ＢＤＡＶデータが再生されるＢＤＡＶ再生環境に置かれる。このため、ＢＤＭＶデータ用のメニュー画面中に含まれる追加ボタン３０５が選択及び実行されると、ＢＤＡＶデータ用のメニュー画面が表示される。従って、該メニュー画面を用いて、ＢＤＡＶデータ中に含まれる所望のデータを再生することができる。【００９８】
このように、本実施例に係る情報再生装置１００によれば、再生用の規格であるＢＤ−Ｖｉｄｅｏ規格に準拠したＢＤＭＶデータの再生が開始された後であっても、記録用の規格であるＢＤ−ＶＲ規格に準拠したＢＤＡＶデータを再生することができる。特に、ＢＤＭＶデータの再生が開始された後においてＢＤＡＶデータの再生を開始するために、光ディスク１０を情報再生装置１００からイジェクトすることによって、情報再生装置１００の動作を一旦リセットする必要もない。つまり、ユーザは、比較的容易に、ＢＤＭＶデータが再生される状態（つまり、図５におけるＢＤＭＶ再生環境）から、ＢＤＡＶデータが再生される状態（つまり、図５におけるＢＤＡＶ再生環境）へと、情報再生装置１００の状態を切り替えることができる。ユーザは、比較的容易に、ＢＤＡＶデータが再生される状態（つまり、図５におけるＢＤＡＶ再生環境）から、ＢＤＭＶデータが再生される状態（つまり、図５におけるＢＤＭＶ再生環境）へと、情報再生装置１００の状態を切り替えることができることも言うまでもない。【００９９】
更に、ＢＤＭＶデータが再生される状態から、ＢＤＡＶデータが再生される状態へと、情報再生装置１００の状態を切り替えるためにユーザにより選択及び実行される追加ボタン３０５は、ＢＤＭＶデータ中に含まれているボタンではなく、情報再生装置１００自身の機能によりＢＤＭＶデータ用のメニュー画面上に表示されるボタンである。従って、ＢＤＭＶデータを作成するためのオーサリングの態様やオーサリングの結果作成されたＢＤＭＶデータの状態に関係なく、ＢＤＭＶデータが再生される状態から、ＢＤＡＶデータが再生される状態へと、情報再生装置１００の状態を切り替えることができる。【０１００】
尚、ＢＤＭＶデータが再生される状態から、ＢＤＡＶデータが再生される状態へと、情報再生装置１００の状態を切り替えるためにユーザにより選択及び実行される追加ボタン３０５をＢＤＭＶデータ用のメニュー画面に表示することに加えて又は代えて、ＢＤＭＶデータ用のメニュー画面が表示されてから一定時間経過した後に、ＢＤＡＶデータ用のメニュー画面が表示されるように構成してもよい。つまり、ＢＤＭＶデータ用のメニュー画面が表示されてから一定時間経過した後に、ＢＤＭＶデータが再生される状態から、ＢＤＡＶデータが再生される状態へと、情報再生装置１００の状態が切り替えられてもよい。これにより、ユーザに何ら特別な操作をさせることもなく、ＢＤＭＶデータが再生される状態から、ＢＤＡＶデータが再生される状態へと、情報再生装置１００の状態を切り替えることができる。【０１０１】
また、ＢＤＭＶデータが再生される状態から、ＢＤＡＶデータが再生される状態へと、情報再生装置１００の状態を切り替えるためにユーザにより選択及び実行される追加ボタン３０５は、ＢＤＭＶデータ用のメニュー画面が表示されてから一定時間経過した後に、ＢＤＭＶデータ用のメニュー画面上に表示されるように構成してもよい。つまり、ＢＤＭＶデータ用のメニュー画面が表示されてから一定時間経過するまでは、追加ボタン３０５が表示されないように構成してもよい。これにより、初めのうちはＢＤＭＶデータ用のメニュー画面の全体をユーザが視認することができる。このため、ＢＤＭＶデータ用のメニュー画面中の映像等に追加ボタン３０５が意図せずして重なってしまうことにより、該映像をユーザが見逃す或いは全く視認することができないという不都合を相応に防止することができる。【０１０２】
また、上述の実施例では、ＢＤＡＶデータが再生される状態から、ＢＤＭＶデータが再生される状態へと、情報再生装置１００の状態を切り替える際には、情報再生装置１００が生成するＢＤＡＶデータ用のメニュー画面に含まれるようにボタン２０４を表示し、選択及び実行するように構成している。【０１０３】
（４）  ボタンの具体的表示態様
続いて、図６から図９を参照して、本実施例に係る情報再生装置１００により表示される追加ボタン３０５の具体的な表示の態様について説明する。ここに、図６は、追加ボタン３０５が表示される前及び追加ボタン３０５が表示された後の夫々のＢＤＭＶデータ用の第１のメニュー画面を概念的に示す平面図であり、図７は、追加ボタン３０５が表示される前及び追加ボタン３０５が表示された後の第１のメニュー画面において、夫々のボタンを選択するときの遷移関係を概念的に示す平面図であり、図８は、追加ボタン３０５が表示される前及び追加ボタン３０５が表示された後の夫々のＢＤＭＶデータ用の第２のメニュー画面を概念的に示す平面図であり、図９は、追加ボタン３０５が表示される前及び追加ボタン３０５が表示された後の第２のメニュー画面において、夫々のボタンを選択するときの遷移関係を概念的に示す平面図である。【０１０４】
図６（ａ）に示すように、追加ボタン３０５が表示される前のＢＤＭＶデータ用のメニュー画面に、ボタン（＃１）、ボタン（＃２）及びボタン（＃３）の３つのボタンが含まれているとする。尚、「＃１」、「＃２」及び「＃３」の符号は、ボタンの識別番号を示している。【０１０５】
追加ボタン３０５が表示される前のＢＤＭＶデータ用のメニュー画面に含まれる３つのボタン（＃１）、ボタン（＃２）及びボタン（＃３）を選択する際には、図７（ａ）に示すように選択対象が遷移する。【０１０６】
具体的には、ボタン（＃１）が選択されているとする。このとき、操作ボタン１２４が備える十字キーの上ボタンが押下されたときには、選択対象となるボタンは、ボタン（＃１）のままである。操作ボタン１２４が備える十字キーの右ボタンが押下されたときには、選択対象となるボタンは、ボタン（＃２）へ遷移する。操作ボタン１２４が備える十字キーの下ボタンが押下されたときには、選択対象となるボタンは、ボタン（＃１）のままである。操作ボタン１２４が備える十字キーの左ボタンが押下されたときには、選択対象となるボタンは、ボタン（＃３）へ遷移する。【０１０７】
同様に、ボタン（＃２）が選択されているとする。このとき、操作ボタン１２４が備える十字キーの上ボタンが押下されたときには、選択対象となるボタンは、ボタン（＃２）のままである。操作ボタン１２４が備える十字キーの右ボタンが押下されたときには、選択対象となるボタンは、ボタン（＃３）へ遷移する。操作ボタン１２４が備える十字キーの下ボタンが押下されたときには、選択対象となるボタンは、ボタン（＃２）のままである。操作ボタン１２４が備える十字キーの左ボタンが押下されたときには、選択対象となるボタンは、ボタン（＃１）へ遷移する。【０１０８】
同様に、ボタン（＃３）が選択されているとする。このとき、操作ボタン１２４が備える十字キーの上ボタンが押下されたときには、選択対象となるボタンは、ボタン（＃３）のままである。操作ボタン１２４が備える十字キーの右ボタンが押下されたときには、選択対象となるボタンは、ボタン（＃１）へ遷移する。操作ボタン１２４が備える十字キーの下ボタンが押下されたときには、選択対象となるボタンは、ボタン（＃３）のままである。操作ボタン１２４が備える十字キーの左ボタンが押下されたときには、選択対象となるボタンは、ボタン（＃２）へ遷移する。【０１０９】
このようなメニュー画面に対して追加ボタン３０５を表示する際には、以下の条件を考慮することが好ましい。具体的には、まず、既存のボタン（＃１）、ボタン（＃２）及びボタン（＃３）と重ならないような位置に、追加ボタン３０５が表示されることが好ましい。更には、既存のボタン（＃１）、ボタン（＃２）及びボタン（＃３）の配列を考慮して、該配列に適合する或いは不当に配列を乱さない位置に、追加ボタン３０５が配置されることが好ましい。更には、既存のボタン（＃１）、ボタン（＃２）及びボタン（＃３）の大きさや形状等を考慮して、該大きさや形状等に適合する或いは不当に大きさや形状が異なり過ぎない大きさや形状で、追加ボタン３０５が表示されることが好ましい。【０１１０】
これらのことを考慮することで、例えば、図６（ｂ）に示すように追加ボタン３０５が配置される。具体的には、ボタン（＃１）、ボタン（＃２）及びボタン（＃３）に重ならない位置であるボタン（＃１）、ボタン（＃２）及びボタン（＃３）の下側に、追加ボタン３０５が表示される。尚、ここでは、追加ボタン３０５の識別番号は、「＃４」にて示している。【０１１１】
追加ボタン３０５が表示されることにより、ＢＤＭＶデータ用のメニュー画面に含まれる４つのボタン（＃１）、ボタン（＃２）及びボタン（＃３）、並びに追加ボタン３０５を選択する際には、図７（ｂ）に示すように選択対象が遷移する。【０１１２】
具体的には、ボタン（＃１）が選択されているとする。このとき、操作ボタン１２４が備える十字キーの上ボタンが押下されたときには、選択対象となるボタンは、ボタン（＃１）のままである。操作ボタン１２４が備える十字キーの右ボタンが押下されたときには、選択対象となるボタンは、ボタン（＃２）へ遷移する。操作ボタン１２４が備える十字キーの下ボタンが押下されたときには、選択対象となるボタンは、ボタン（＃４）へ遷移する。操作ボタン１２４が備える十字キーの左ボタンが押下されたときには、選択対象となるボタンは、ボタン（＃３）へ遷移する。つまり、操作ボタン１２４が備える十字キーの下ボタンが押下されたときの遷移関係が変更される。【０１１３】
同様に、ボタン（＃２）が選択されているとする。このとき、操作ボタン１２４が備える十字キーの上ボタンが押下されたときには、選択対象となるボタンは、ボタン（＃２）のままである。操作ボタン１２４が備える十字キーの右ボタンが押下されたときには、選択対象となるボタンは、ボタン（＃３）へ遷移する。操作ボタン１２４が備える十字キーの下ボタンが押下されたときには、選択対象となるボタンは、ボタン（＃４）へ遷移する。操作ボタン１２４が備える十字キーの左ボタンが押下されたときには、選択対象となるボタンは、ボタン（＃１）へ遷移する。つまり、操作ボタン１２４が備える十字キーの下ボタンが押下されたときの遷移関係が変更される。【０１１４】
同様に、ボタン（＃３）が選択されているとする。このとき、操作ボタン１２４が備える十字キーの上ボタンが押下されたときには、選択対象となるボタンは、ボタン（＃３）のままである。操作ボタン１２４が備える十字キーの右ボタンが押下されたときには、選択対象となるボタンは、ボタン（＃１）へ遷移する。操作ボタン１２４が備える十字キーの下ボタンが押下されたときには、選択対象となるボタンは、ボタン（＃４）へ遷移する。操作ボタン１２４が備える十字キーの左ボタンが押下されたときには、選択対象となるボタンは、ボタン（＃２）へ遷移する。つまり、操作ボタン１２４が備える十字キーの下ボタンが押下されたときの遷移関係が変更される。【０１１５】
また、ボタン（＃４）が選択されているとする。このとき、操作ボタン１２４が備える十字キーの上ボタンが押下されたときには、選択対象となるボタンは、ボタン（＃１）へ遷移する。操作ボタン１２４が備える十字キーの右ボタンが押下されたときには、選択対象となるボタンは、ボタン（＃４）のままである。操作ボタン１２４が備える十字キーの下ボタンが押下されたときには、選択対象となるボタンは、ボタン（＃４）のままである。操作ボタン１２４が備える十字キーの左ボタンが押下されたときには、選択対象となるボタンは、ボタン（＃４）のままである。【０１１６】
これにより、追加ボタン３０５をＢＤＭＶデータ用のメニュー画面に表示した後であっても、操作ボタン１２４を操作することで夫々のボタンを好適に選択することができる。【０１１７】
尚、夫々のボタンを選択するときの遷移関係は、ＢＤＭＶデータ中に含まれるデフォールトの遷移関係を示すデータをメモリ１２２等に格納しておき、追加ボタン３０５の表示に伴って該メモリ１２２中に格納されたデータを更新することが好ましい。【０１１８】
別の態様のボタン配置についても説明する。【０１１９】
図８（ａ）に示すように、追加ボタン３０５が表示される前のＢＤＭＶデータ用のメニュー画面に、ボタン（＃１）、ボタン（＃２）及びボタン（＃３）の３つのボタンが含まれているとする。【０１２０】
追加ボタン３０５が表示される前のＢＤＭＶデータ用のメニュー画面に含まれる３つのボタン（＃１）、ボタン（＃２）及びボタン（＃３）を選択する際には、図９（ａ）に示すように選択対象が遷移する。【０１２１】
具体的には、ボタン（＃１）が選択されているとする。このとき、操作ボタン１２４が備える十字キーの上ボタンが押下されたときには、選択対象となるボタンは、ボタン（＃１）のままである。操作ボタン１２４が備える十字キーの右ボタンが押下されたときには、選択対象となるボタンは、ボタン（＃２）へ遷移する。操作ボタン１２４が備える十字キーの下ボタンが押下されたときには、選択対象となるボタンは、ボタン（＃１）のままである。操作ボタン１２４が備える十字キーの左ボタンが押下されたときには、選択対象となるボタンは、ボタン（＃３）へ遷移する。【０１２２】
同様に、ボタン（＃２）が選択されているとする。このとき、操作ボタン１２４が備える十字キーの上ボタンが押下されたときには、選択対象となるボタンは、ボタン（＃２）のままである。操作ボタン１２４が備える十字キーの右ボタンが押下されたときには、選択対象となるボタンは、ボタン（＃３）へ遷移する。操作ボタン１２４が備える十字キーの下ボタンが押下されたときには、選択対象となるボタンは、ボタン（＃２）のままである。操作ボタン１２４が備える十字キーの左ボタンが押下されたときには、選択対象となるボタンは、ボタン（＃１）へ遷移する。【０１２３】
同様に、ボタン（＃３）が選択されているとする。このとき、操作ボタン１２４が備える十字キーの上ボタンが押下されたときには、選択対象となるボタンは、ボタン（＃３）のままである。操作ボタン１２４が備える十字キーの右ボタンが押下されたときには、選択対象となるボタンは、ボタン（＃１）へ遷移する。操作ボタン１２４が備える十字キーの下ボタンが押下されたときには、選択対象となるボタンは、ボタン（＃３）のままである。操作ボタン１２４が備える十字キーの左ボタンが押下されたときには、選択対象となるボタンは、ボタン（＃２）へ遷移する。【０１２４】
このようなメニュー画面に対して追加ボタン３０５を表示する際には、上述した条件を考慮することで、例えば、図８（ｂ）に示すように追加ボタン３０５が配置される。具体的には、ボタン（＃１）、ボタン（＃２）及びボタン（＃３）と同一の大きさを有する追加ボタン３０５が、ボタン（＃１）、ボタン（＃２）及びボタン（＃３）の配列を乱すことなく該配列に新たに加わるように表示される。尚、ここでは、追加ボタン３０５の識別番号は、「＃４」にて示している。【０１２５】
追加ボタン３０５が表示されることにより、ＢＤＭＶデータ用のメニュー画面に含まれる４つのボタン（＃１）、ボタン（＃２）及びボタン（＃３）、並びに追加ボタン３０５を選択する際には、図９（ｂ）に示すように選択対象が遷移する。【０１２６】
具体的には、ボタン（＃１）が選択されているとする。このとき、操作ボタン１２４が備える十字キーの上ボタンが押下されたときには、選択対象となるボタンは、ボタン（＃１）のままである。操作ボタン１２４が備える十字キーの右ボタンが押下されたときには、選択対象となるボタンは、ボタン（＃２）へ遷移する。操作ボタン１２４が備える十字キーの下ボタンが押下されたときには、選択対象となるボタンは、ボタン（＃１）のままである。操作ボタン１２４が備える十字キーの左ボタンが押下されたときには、選択対象となるボタンは、ボタン（＃４）へ遷移する。つまり、操作ボタン１２４が備える十字キーの左ボタンが押下されたときの遷移関係が変更される。【０１２７】
同様に、ボタン（＃２）が選択されているとする。このとき、操作ボタン１２４が備える十字キーの上ボタンが押下されたときには、選択対象となるボタンは、ボタン（＃２）のままである。操作ボタン１２４が備える十字キーの右ボタンが押下されたときには、選択対象となるボタンは、ボタン（＃３）へ遷移する。操作ボタン１２４が備える十字キーの下ボタンが押下されたときには、選択対象となるボタンは、ボタン（＃２）のままである。操作ボタン１２４が備える十字キーの左ボタンが押下されたときには、選択対象となるボタンは、ボタン（＃１）へ遷移する。つまり、ボタン（＃２）に関しては、遷移関係は変わらない。【０１２８】
同様に、ボタン（＃３）が選択されているとする。このとき、操作ボタン１２４が備える十字キーの上ボタンが押下されたときには、選択対象となるボタンは、ボタン（＃３）のままである。操作ボタン１２４が備える十字キーの右ボタンが押下されたときには、選択対象となるボタンは、ボタン（＃４）へ遷移する。操作ボタン１２４が備える十字キーの下ボタンが押下されたときには、選択対象となるボタンは、ボタン（＃４）へ遷移する。操作ボタン１２４が備える十字キーの左ボタンが押下されたときには、選択対象となるボタンは、ボタン（＃２）へ遷移する。つまり、操作ボタン１２４が備える十字キーの右ボタンが押下されたときの遷移関係が変更される。【０１２９】
また、ボタン（＃４）が選択されているとする。このとき、操作ボタン１２４が備える十字キーの上ボタンが押下されたときには、選択対象となるボタンは、ボタン（＃４）のままである。操作ボタン１２４が備える十字キーの右ボタンが押下されたときには、選択対象となるボタンは、ボタン（＃１）へ遷移する。操作ボタン１２４が備える十字キーの下ボタンが押下されたときには、選択対象となるボタンは、ボタン（＃４）のままである。操作ボタン１２４が備える十字キーの左ボタンが押下されたときには、選択対象となるボタンは、ボタン（＃３）へ遷移する。【０１３０】
尚、上述した条件を必ずしも考慮しなくともよい。つまり、ＢＤＭＶデータが再生される状態からＢＤＡＶデータが再生される状態へと情報再生装置１００の状態を切り替える効果を享受するという観点からは、少なくとも追加ボタン３０５がＢＤＭＶデータ用のメニュー画面に表示されれば足りる。【０１３１】
（５）変形例
続いて、図１０を参照して、本実施例に係る情報再生装置１００の変形例について説明する。ここに、図１０は、変形例に係る情報再生装置１０１が備えるリモコン１３１を概念的に示す斜視図である。【０１３２】
図１０に示すように、変形例に係る情報再生装置１０１は、上述したボタン表示部１２８に代えて、状態遷移用操作ボタン１３２を備えるリモコン１３１を備えている。状態遷移用操作ボタン１３２或いはリモコン１３１は、本発明における「入力手段」の一具体例を構成している。【０１３３】
変形例においては、ＢＤＭＶデータが再生されている（或いは、ＢＤＭＶデータ用のメニュー画面が表示されている）ときに状態遷移用操作ボタン１３２がユーザにより押下されると、その旨を示す信号が、リモコン１３１から赤外線等を用いて情報再生装置１０１へ伝えられる。その結果、動作制御部１２９は、上述した情報再生装置１００と同様に、ＢＤＭＶデータが再生される状態から、ＢＤＡＶデータが再生される状態へと、情報再生装置１００の状態を切り替える。これにより、変形例に係る情報再生装置１０１においても、上述した各種利益を相応に享受することができる。【０１３４】
尚、リモコン１３１を上述の情報再生装置１００と組み合わせることで、ＢＤＭＶデータ用のメニュー画面上に追加ボタン３０５を表示しつつ、リモコン１３１に備えられた状態遷移用操作ボタン１３２による操作を行ってもよい。【０１３５】
尚、上述の実施例では、情報記録媒体の一例として光ディスク１０、並びに情報記録装置の一例として光ディスク１０に係るプレーヤについて説明したが、本発明は、光ディスク及びそのプレーヤに限られるものではなく、他の高密度記録或いは高転送レート対応の各種情報記録媒体並びにそのプレーヤにも適用可能である。【０１３６】
本発明は、上述した実施例に限られるものではなく、請求の範囲及び明細書全体から読み取れる発明の要旨或いは思想に反しない範囲で適宜変更可能であり、そのような変更を伴なう情報再生装置及び方法、並びにコンピュータプログラムもまた本発明の技術的範囲に含まれるものである。
【図１】
2008026251.tif 000003
【図２】
2008026251.tif 000004
【図３】
2008026251.tif 000005
【図４】
2008026251.tif 000006
【図５】
2008026251.tif 000007
【図６】
2008026251.tif 000008
【図７】
2008026251.tif 000009
【図８】
2008026251.tif 000010
【図９】
2008026251.tif 000011
【図１０】
2008026251.tif 000012
【手続補正書】
【提出日】平成19年12月27日(2007.12.27)
【手続補正１】
【補正対象書類名】特許請求の範囲
【補正対象項目名】全文
【補正方法】変更
【補正の内容】
【特許請求の範囲】
【請求項１】
再生用の規格に準拠した第１データと、記録用の規格に準拠した第２データとの夫々が記録された情報記録媒体を再生する情報再生装置であって、
前記第１データ又は前記第２データを再生する再生手段と、
前記再生手段が前記第１データを再生している場合に、前記第１データの再生を停止した後に前記再生手段が前記第２データの再生を開始するように前記再生手段を制御する制御手段と、
前記再生手段が前記第１データを再生している場合に、当該情報再生装置独自の独自ボタンを前記第１データに重ねて表示する表示手段と
を備え、
前記制御手段は、前記再生手段が前記第１データを再生しているときに前記独自ボタンが選択及び実行された場合に、前記再生手段が前記第２データの再生を開始するように前記再生手段を制御することを特徴とする情報再生装置。
【請求項２】
前記制御手段は、前記再生手段が前記第１データを再生している場合に、前記第１データの再生を停止した後に前記再生手段が前記第２データに含まれるメニューの再生を開始するように前記再生手段を制御することを特徴とする請求の範囲第１項に記載の情報再生装置。
【請求項３】
前記制御手段は、前記再生手段が前記第１データに含まれるメニューを再生している場合に、前記第１データに含まれるメニューの再生を停止した後に前記再生手段が前記第２データの再生を開始するように前記再生手段を制御することを特徴とする請求の範囲第１項に記載の情報再生装置。
【請求項４】
（削除）
【請求項５】
前記表示手段は、前記第１データに含まれるメニューに重ねて前記独自ボタンを表示することを特徴とする請求の範囲第１項に記載の情報再生装置。
【請求項６】
前記表示手段は、前記第１データに含まれる第１データ用ボタンが表示される位置とは異なる位置に前記独自ボタンを表示することを特徴とする請求の範囲第１項に記載の情報再生装置。
【請求項７】
前記表示手段は、前記第１データに含まれる第１データ用ボタンと前記独自ボタンとが略均等に配置されるように前記独自ボタンを表示することを特徴とする請求の範囲第１項に記載の情報再生装置。
【請求項８】
前記表示手段は、前記第１データに含まれる第１データ用ボタンに応じたサイズを有する前記独自ボタンを表示することを特徴とする請求の範囲第１項に記載の情報再生装置。
【請求項９】
前記表示手段は、前記第１データに含まれる第１データ用ボタンを選択する際の遷移関係を、前記第１データに含まれる第１データ用ボタン及び前記独自ボタンの夫々を選択する際の遷移関係を追加しながら、前記独自ボタンを表示することを特徴とする請求の範囲第１項に記載の情報再生装置。
【請求項１０】
前記表示手段は、前記再生手段が前記第１データの再生を開始してから一定時間が経過した後に、前記独自ボタンを表示することを特徴とする請求の範囲第１項に記載の情報再生装置。
【請求項１１】
前記再生手段が前記第２データの再生を開始するように、前記制御手段に対して前記再生手段を制御させるための入力指示を行うための入力手段を更に備え、
前記制御手段は、前記再生手段が前記第１データを再生しているときに前記入力手段により前記入力指示が行われた場合に、前記再生手段が前記第２データの再生を開始するように前記再生手段を制御することを特徴とする請求の範囲第１項に記載の情報再生装置。
【請求項１２】
前記制御手段は、前記再生手段が前記第１データの再生を開始してから一定時間が経過した後に、前記第１データの再生を停止した後に前記再生手段が前記第２データの再生を開始するように前記再生手段を制御することを特徴とする請求の範囲第１項に記載の情報再生装置。
【請求項１３】
再生用フォーマットに準拠した第１データと、記録用フォーマットに準拠した第２データとの夫々が記録された情報記録媒体を再生する情報再生方法であって、
前記第１データ又は前記第２データを再生する再生工程と、
前記再生手段が前記第１データを再生している場合に、前記第１データの再生を停止した後に前記再生手段が前記第２データの再生を開始するように前記再生工程を制御する制御工程と、
前記再生工程が前記第１データを再生している場合に、当該情報再生装置独自の独自ボタンを前記第１データに重ねて表示する表示工程と
を備え、
前記制御工程は、前記再生工程が前記第１データを再生しているときに前記独自ボタンが選択及び実行された場合に、前記再生工程が前記第２データの再生を開始するように前記再生工程を制御することを特徴とする情報再生方法。
【請求項１４】
再生用フォーマットに準拠した第１データと、記録用フォーマットに準拠した第２データとの夫々が記録された情報記録媒体を再生する情報再生装置であって、前記第１データ又は前記第２データを再生する再生手段と、前記再生手段が前記第１データを再生している場合に、前記第１データの再生を停止した後に前記再生手段が前記第２データの再生を開始するように前記再生手段を制御する制御手段と、前記再生手段が前記第１データを再生している場合に、当該情報再生装置独自の独自ボタンを前記第１データに重ねて表示する表示手段とを備え、前記制御手段は、前記再生手段が前記第１データを再生しているときに前記独自ボタンが選択及び実行された場合に、前記再生手段が前記第２データの再生を開始するように前記再生手段を制御する情報再生装置に備えられたコンピュータを制御する再生制御用のコンピュータプログラムであって、
前記コンピュータプログラムは、前記コンピュータを、前記再生手段、前記制御手段及び前記表示手段のうち少なくとも一部として機能させることを特徴とするコンピュータプログラム。
【手続補正書】
【提出日】平成21年1月7日(2009.1.7)
【手続補正１】
【補正対象書類名】特許請求の範囲
【補正対象項目名】全文
【補正方法】変更
【補正の内容】
【特許請求の範囲】
【請求項１】
再生用の規格に準拠した第１データと、記録用の規格に準拠した第２データとの夫々が記録された情報記録媒体を再生する情報再生装置であって、
前記第１データ又は前記第２データを再生する再生手段と、
前記再生手段が前記第１データを再生している場合に、前記第１データの再生を停止した後に前記再生手段が前記第２データの再生を開始するように前記再生手段を制御する制御手段と、
前記再生手段が前記第１データを再生している場合に、当該情報再生装置独自の独自ボタンを前記第１データに重ねて表示する表示手段と
を備え、
前記制御手段は、前記再生手段が前記第１データを再生しているときに前記独自ボタンが選択及び実行された場合に、前記再生手段が前記第２データの再生を開始するように前記再生手段を制御することを特徴とする情報再生装置。
【請求項２】
前記制御手段は、前記再生手段が前記第１データを再生している場合に、前記第１データの再生を停止した後に前記再生手段が前記第２データに含まれるメニューの再生を開始するように前記再生手段を制御することを特徴とする請求の範囲第１項に記載の情報再生装置。
【請求項３】
前記制御手段は、前記再生手段が前記第１データに含まれるメニューを再生している場合に、前記第１データの再生を停止した後に前記再生手段が前記第２データの再生を開始するように前記再生手段を制御することを特徴とする請求の範囲第１項に記載の情報再生装置。
【請求項４】
前記表示手段は、前記第１データに含まれるメニューに重ねて前記独自ボタンを表示することを特徴とする請求の範囲第１項に記載の情報再生装置。
【請求項５】
前記表示手段は、前記第１データに含まれる第１データ用ボタンが表示される位置とは異なる位置に前記独自ボタンを表示することを特徴とする請求の範囲第１項に記載の情報再生装置。
【請求項６】
前記表示手段は、前記第１データに含まれる第１データ用ボタンと前記独自ボタンとが略均等に配置されるように前記独自ボタンを表示することを特徴とする請求の範囲第１項に記載の情報再生装置。
【請求項７】
前記表示手段は、前記第１データに含まれる第１データ用ボタンに応じたサイズを有する前記独自ボタンを表示することを特徴とする請求の範囲第１項に記載の情報再生装置。
【請求項８】
前記表示手段は、前記第１データに含まれる第１データ用ボタンを選択する際の遷移関係を、前記第１データに含まれる第１データ用ボタン及び前記独自ボタンの夫々を選択する際の遷移関係を追加しながら、前記独自ボタンを表示することを特徴とする請求の範囲第１項に記載の情報再生装置。
【請求項９】
前記表示手段は、前記再生手段が前記第1データの再生を開始してから一定時間が経過した後に、前記独自ボタンを表示することを特徴とする請求の範囲第１項に記載の情報再生装置。
【請求項１０】
前記再生手段が前記第２データの再生を開始するように、前記制御手段に対して前記再生手段を制御させるための入力指示を行うための入力手段を更に備え、
前記制御手段は、前記再生手段が前記第１データを再生しているときに前記入力手段により前記入力指示が行われた場合に、前記再生手段が前記第２データの再生を開始するように前記再生手段を制御することを特徴とする請求の範囲第１項に記載の情報再生装置。
【請求項１１】
前記制御手段は、前記再生手段が前記第1データの再生を開始してから一定時間が経過した後に、前記第１データの再生を停止した後に前記再生手段が前記第２データの再生を開始するように前記再生手段を制御することを特徴とする請求の範囲第１項に記載の情報再生装置。
【請求項１２】
再生用フォーマットに準拠した第１データと、記録用フォーマットに準拠した第２データとの夫々が記録された情報記録媒体を再生する情報再生方法であって、
前記第１データ又は前記第２データを再生する再生工程と、
前記再生工程が前記第１データを再生している場合に、前記第１データの再生を停止した後に前記再生工程が前記第２データの再生を開始するように前記再生工程を制御する制御工程と、
前記再生工程が前記第１データを再生している場合に、情報再生装置独自の独自ボタンを前記第１データに重ねて表示する表示工程と
を備え、
前記制御工程は、前記再生工程が前記第１データを再生しているときに前記独自ボタンが選択及び実行された場合に、前記再生工程が前記第２データの再生を開始するように前記再生工程を制御することを特徴とする情報再生方法。
【請求項１３】
再生用フォーマットに準拠した第１データと、記録用フォーマットに準拠した第２データとの夫々が記録された情報記録媒体を再生する情報再生装置であって、前記第１データ又は前記第２データを再生する再生手段と、前記再生手段が前記第１データを再生している場合に、前記第１データの再生を停止した後に前記再生手段が前記第２データの再生を開始するように前記再生手段を制御する制御手段と、前記再生手段が前記第１データを再生している場合に、当該情報再生装置独自の独自ボタンを前記第１データに重ねて表示する表示手段とを備え、前記制御手段は、前記再生手段が前記第１データを再生しているときに前記独自ボタンが選択及び実行された場合に、前記再生手段が前記第２データの再生を開始するように前記再生手段を制御する情報再生装置に備えられたコンピュータを制御する再生制御用のコンピュータプログラムであって、
前記コンピュータプログラムは、前記コンピュータを、前記再生手段、前記制御手段及び前記表示手段のうち少なくとも一部として機能させることを特徴とするコンピュータプログラム。
【手続補正２】
【補正対象書類名】明細書
【補正対象項目名】００１０
【補正方法】変更
【補正の内容】
【００１０】
上記課題を解決するために、請求の範囲第１項に記載の情報再生装置は、再生用の規格に準拠した第１データと、記録用の規格に準拠した第２データとの夫々が記録された情報記録媒体を再生する情報再生装置であって、前記第１データ又は前記第２データを再生する再生手段と、前記再生手段が前記第１データを再生している場合に、前記第１データの再生を停止した後に前記再生手段が前記第２データの再生を開始するように前記再生手段を制御する制御手段と、前記再生手段が前記第１データを再生している場合に、当該情報再生装置独自の独自ボタンを前記第１データに重ねて表示する表示手段とを備え、前記制御手段は、前記再生手段が前記第１データを再生しているときに前記独自ボタンが選択及び実行された場合に、前記再生手段が前記第２データの再生を開始するように前記再生手段を制御する。
【手続補正３】
【補正対象書類名】明細書
【補正対象項目名】００１１
【補正方法】変更
【補正の内容】
【００１１】
上記課題を解決するために、請求の範囲第１２項に記載の情報再生方法は、再生用フォーマットに準拠した第１データと、記録用フォーマットに準拠した第２データとの夫々が記録された情報記録媒体を再生する情報再生方法であって、前記第１データ又は前記第２データを再生する再生工程と、前記再生工程が前記第１データを再生している場合に、前記第１データの再生を停止した後に前記再生工程が前記第２データの再生を開始するように前記再生工程を制御する制御工程と、前記再生工程が前記第１データを再生している場合に、情報再生装置独自の独自ボタンを前記第１データに重ねて表示する表示工程とを備え、前記制御工程は、前記再生工程が前記第１データを再生しているときに前記独自ボタンが選択及び実行された場合に、前記再生工程が前記第２データの再生を開始するように前記再生工程を制御する。
【手続補正４】
【補正対象書類名】明細書
【補正対象項目名】００１２
【補正方法】変更
【補正の内容】
【００１２】
上記課題を解決するために、請求の範囲第１３項に記載のコンピュータプログラムは、再生用フォーマットに準拠した第１データと、記録用フォーマットに準拠した第２データとの夫々が記録された情報記録媒体を再生する情報再生装置であって、前記第１データ又は前記第２データを再生する再生手段と、前記再生手段が前記第１データを再生している場合に、前記第１データの再生を停止した後に前記再生手段が前記第２データの再生を開始するように前記再生手段を制御する制御手段と、前記再生手段が前記第１データを再生している場合に、当該情報再生装置独自の独自ボタンを前記第１データに重ねて表示する表示手段とを備え、前記制御手段は、前記再生手段が前記第１データを再生しているときに前記独自ボタンが選択及び実行された場合に、前記再生手段が前記第２データの再生を開始するように前記再生手段を制御する情報再生装置に備えられたコンピュータを制御する再生制御用のコンピュータプログラムであって、前記コンピュータプログラムは、前記コンピュータを、前記再生手段、前記制御手段及び前記表示手段のうち少なくとも一部として機能させる。
【国際調査報告】
2008026251.tif 000013
2008026251.tif 000014